(57)【要約】【課題】第１のスピーカからの音波または振動による第１のスピーカへの影響を低減することが可能なスピーカ装置を提供する。【解決手段】スピーカ装置はウーハ１及びツイータ２を備え、これらは同軸上に配置される。ウーハ１からの音波を拡散するディフューザ３は、ウーハ１のヨーク１２に取り付けられる。ディフューザ３は例えば漏斗形状である。また、ツイータ２を取り付けるネジ６は、ウーハ１のヨーク１２を貫通すると共に、ディフューザ３を非接触状態で貫通する。従ってウーハ１からの音波はディフューザ３によりスピーカ装置周辺へ拡散される。また、ディフューザ３は、ネジ６とは非接触であるので、ツイータ２へ伝達されるウーハ１の振動が低減される。【選択図】図４
2008177690.tif 000002
【特許請求の範囲】
【請求項１】
音域の異なる複数のスピーカを同軸上に配置したスピーカ装置において、
第１のスピーカと、
該第１のスピーカのヨークに取り付けられ、該第１のスピーカからの音波を拡散するディフューザと、
第２のスピーカと、
前記ヨークを貫通すると共に、前記ディフューザを非接触状態で貫通し、前記第２のスピーカを取り付ける取付軸と
を備えることを特徴とするスピーカ装置。
【請求項２】
前記ディフューザは、漏斗形状であり、先端が前記ヨークに取り付けられている
ことを特徴とする請求項１に記載のスピーカ装置。
【請求項３】
前記取付軸は、一端が前記ヨークに取り付けられ、前記ディフューザを非接触状態で貫通し、他端が前記第２のスピーカに取り付けられている
ことを特徴とする請求項１または２に記載のスピーカ装置。
【請求項４】
前記第１のスピーカを収容する筒状筐体
を備えることを特徴とする請求項１乃至３のいずれか一つに記載のスピーカ装置。
【請求項５】
前記ディフューザに取り付けられ前記第２のスピーカからの音波を拡散する第２ディフューザ
を備えることを特徴とする請求項１乃至４のいずれか一つに記載のスピーカ装置。
【請求項６】
前記ヨークは、前記取付軸の一端及び前記ディフューザの先端を螺合するためのネジ溝
を備えることを特徴とする請求項１乃至５のいずれか一つに記載のスピーカ装置。
【請求項７】
前記第１のスピーカを収容する筒状筐体と、
該筒状筐体内部に架設され、前記取付軸の一端を保持する保持部と
を備えることを特徴とする請求項１または２に記載のスピーカ装置。
【請求項８】
前記取付軸は、一端が前記保持部で保持され、前記ヨーク及び前記ディフューザを非接触状態で貫通し、他端が前記第２のスピーカに取り付けられている
ことを特徴とする請求項７に記載のスピーカ装置。
【請求項９】
前記第１のスピーカは、低音用のウーハであり、
前記第２のスピーカは、高音用のツイータである
ことを特徴とする請求項１乃至８のいずれか一つに記載のスピーカ装置。
【請求項１０】
前記第１のスピーカは、前記筒状筐体の一端開口に設けられ、
前記ディフューザの一部、及び、前記第２のスピーカは、前記筒状筐体の一端開口から突出している
ことを特徴とする請求項４、７または８に記載のスピーカ装置。
【発明の詳細な説明】
【技術分野】
【０００１】
本発明は、音域の異なる複数のスピーカを同軸上に配置したスピーカ装置に関する。
【背景技術】
【０００２】
従来、中空状の筒状筐体の開口にスピーカを設け、スピーカ装置の周囲方向へ音波を拡散する無指向性スピーカ装置が提案されている（例えば、特許文献１参照）。この無指向性スピーカ装置においては、水平軸指向性は３６０度無指向性となり、指向特性が良好になる。また、低音用のウーハと高音用のツイータとを同軸上に配置する無指向性スピーカシステムも知られている（例えば、特許文献２参照）。この無指向性スピーカシステムにおいては、低音用のスピーカと高音用のスピーカが同軸上に配されているため、これらが分散して配置されているスピーカ装置よりも音の定位が明確になるという利点がある。
【特許文献１】特開２００１−２２４０８９号公報
【特許文献２】特開平５−５６４９３号公報
【発明の開示】
【発明が解決しようとする課題】
【０００３】
しかしながら、特許文献２に記載の無指向性スピーカシステムにおいては、低音用のウーハの振動が上側に設けられるツイータに伝わり音質の低下を招くという問題があった。すなわち、低音用ウーハのコーン紙が振動することに伴いツイータも振動し、その結果、クリアな音が出力できないという問題があった。また、特許文献１にはかかる課題を解決するための手段は何ら記載されていない。
【０００４】
本発明は斯かる事情に鑑みてなされたものであり、その目的は、第１のスピーカのヨークに取り付けられ、第１のスピーカからの音波を拡散するディフューザを設け、第２のスピーカを取り付ける取付軸を、ディフューザに対して非接触状態で貫通させることにより、第１のスピーカからの音波または振動による第１のスピーカへの影響を低減することが可能なスピーカ装置を提供することにある。
【０００５】
本発明の他の目的は、第１のスピーカのヨークにディフューザの先端及び取付軸の一端を取り付けることにより、振動をより低減することが可能なスピーカ装置を提供することにある。
【０００６】
本発明の他の目的は、第１のスピーカのヨークにディフューザの先端及び取付軸の一端を螺合するためのネジ溝を設けることにより、容易に取り付けが可能なスピーカ装置を提供することにある。
【０００７】
本発明の他の目的は、筒状筐体内部に架設され、取付軸の一端を保持する保持部を設け、ヨーク及びディフューザを非接触状態で貫通し、他端を第２のスピーカに取り付けることにより、第１スピーカの振動に伴う影響をさらに低減することが可能なスピーカ装置を提供することにある。
【課題を解決するための手段】
【０００８】
本発明に係るスピーカ装置は、音域の異なる複数のスピーカを同軸上に配置したスピーカ装置において、第１のスピーカと、該第１のスピーカのヨークに取り付けられ、該第１のスピーカからの音波を拡散するディフューザと、第２のスピーカと、前記ヨークを貫通すると共に、前記ディフューザを非接触状態で貫通し、前記第２のスピーカを取り付ける取付軸とを備えることを特徴とする。
【０００９】
本発明に係るスピーカ装置は、前記ディフューザは、漏斗形状であり、先端が前記ヨークに取り付けられていることを特徴とする。
【００１０】
本発明に係るスピーカ装置は、前記取付軸は、一端が前記ヨークに取り付けられ、前記ディフューザを非接触状態で貫通し、他端が前記第２のスピーカに取り付けられていることを特徴とする。
【００１１】
本発明に係るスピーカ装置は、前記第１のスピーカを収容する筒状筐体を備えることを特徴とする。
【００１２】
本発明に係るスピーカ装置は、前記ディフューザに取り付けられ前記第２のスピーカからの音波を拡散する第２ディフューザを備えることを特徴とする。
【００１３】
本発明に係るスピーカ装置は、前記ヨークは、前記取付軸の一端及び前記ディフューザの先端を螺合するためのネジ溝を備えることを特徴とする。
【００１４】
本発明に係るスピーカ装置は、前記第１のスピーカを収容する筒状筐体と、該筒状筐体内部に架設され、前記取付軸の一端を保持する保持部とを備えることを特徴とする。
【００１５】
本発明に係るスピーカ装置は、前記取付軸は、一端が前記保持部で保持され、前記ヨーク及び前記ディフューザを非接触状態で貫通し、他端が前記第２のスピーカに取り付けられていることを特徴とする。
【００１６】
本発明に係るスピーカ装置は、前記第１のスピーカは、低音用のウーハであり、前記第２のスピーカは、高音用のツイータであることを特徴とする。
【００１７】
本発明に係るスピーカ装置は、前記第１のスピーカは、前記筒状筐体の一端開口に設けられ、前記ディフューザの一部、及び、前記第２のスピーカは、前記筒状筐体の一端開口から突出していることを特徴とする。
【００１８】
本発明にあっては、スピーカ装置は音域の異なる第１のスピーカ及び第２のスピーカを備え、これらは同軸上に配置される。第１のスピーカとしては、例えば低音用のウーハであり、第２のスピーカとしては、例えば高音用のツイータである。第１のスピーカからの音波を拡散するディフューザは、第１のスピーカのヨークに取り付けられる。ディフューザは例えば漏斗形状である。また、第２のスピーカを取り付ける取付軸は、第１のスピーカのヨークを貫通すると共に、ディフューザを非接触状態で貫通する。従って第１のスピーカからの音波はディフューザによりスピーカ装置周辺へ拡散される。また、ディフューザは、取付軸とは非接触であるので、第２のスピーカへ伝達される第１のスピーカの振動が低減される。
【００１９】
本発明にあっては、取付軸は、その一端がヨークに取り付けられる。また取付軸の他端は第２のスピーカに取り付けられる。取付軸の一端から他端までの中途部分はディフューザを非接触状態で貫通する。
【００２０】
本発明にあっては、第２のスピーカからの音波を拡散する第２ディフューザは、ディフューザに取り付けられる。
【００２１】
本発明にあっては、ヨークに設けられたネジ溝に、取付軸の一端及びディフューザの先端が螺合される。
【００２２】
本発明にあっては、保持部は第１のスピーカを収容する筒状筐体内部に架設される。この保持部は、ヨーク及びディフューザを非接触状態で貫通する取付軸の一端を、保持する。
【発明の効果】
【００２３】
本発明にあっては、第１のスピーカからの音波を拡散するディフューザは、第１のスピーカのヨークに取り付けられる。また、第２のスピーカを取り付ける取付軸は、第１のスピーカのヨークを貫通すると共に、ディフューザを非接触状態で貫通する。従って第１のスピーカからの音波はディフューザによりスピーカ装置周辺へ拡散される。また、ディフューザは、取付軸とは非接触であるので、第２のスピーカへ伝達される第１のスピーカの振動が低減される。これにより、第１スピーカの音波に起因する第２スピーカの振動を低減でき、また取付軸がディフューザに対して非接触状態で貫通するため第１スピーカの第２スピーカに対する振動を低減できる。その結果、音質の向上を図ることが可能となる。
【００２４】
本発明にあっては、取付軸は、その一端がヨークに取り付けられる。また取付軸の他端は第２のスピーカに取り付けられる。取付軸の一端から他端までの中途部分はディフューザを非接触状態で貫通する。これにより、ディフューザ及び取付軸が、強固なヨークに取り付けられるため、より振動を低減することが可能となる。
【００２５】
本発明にあっては、第２のスピーカからの音波を拡散する第２ディフューザは、ディフューザに取り付けられる。これにより、第２のスピーカの指向特性も良好となる。
【００２６】
本発明にあっては、ヨークに設けられたネジ溝に、取付軸の一端及びディフューザの先端が螺合される。これにより、第１のスピーカへのディフューザの取り付け及び第２のスピーカのヨーク及び取付軸への取り付けが容易となる。
【００２７】
本発明にあっては、保持部は第１のスピーカを収容する筒状筐体内部に架設される。この保持部は、ヨーク及びディフューザを非接触状態で貫通する取付軸の一端を、保持する。これにより、取付軸はディフューザのみならずヨークをも非接触で貫通する。その結果、第２のスピーカは、第１スピーカの振動の影響の少ない保持部で保持されるため、さらに振動による影響を低減できる等、本発明は優れた効果を奏する。
【発明を実施するための最良の形態】
【００２８】
実施の形態１
以下本発明の実施の形態を、図面を参照して説明する。図１はスピーカ装置の概要を示す模式的斜視図である。スピーカ装置は、筐体５、第１スピーカ１、第２スピーカ２、ディフューザ３、第２ディフューザ４及びスタンド５１を含んで構成される。なお、以下では第１スピーカ１を低音用のウーハ１、第２スピーカ２を高音用のツイータ２であるものとして説明するが、これに限るものではなく、超低音用のサブウーハ、中音用のスコーカまたは超高音用のスーパーツイータ等を第１スピーカ１または第２スピーカ２に適宜組み合わせて適用しても良い。
【００２９】
筐体５は木材、アルミニウム等の金属、透光性樹脂、またはガラス等から製造され、中空の筒形状をなす。なお、本実施の形態においては筐体５が断面視略円形の筒形状をなすものとして説明するが、これに限るものではなく断面視楕円形状のものであっても良い。さらに筒形状に限るものではなく、中空三角柱状、または中空多角柱状のものであっても良い。筐体５の下側には、複数のスタンド５１、５１、５１が筐体５外周面にビス止めまたは接着剤等により固定されている。
【００３０】
筐体５上側の開口には、ウーハ１が載置されており、筐体５の長手方向に沿うウーハ１の同軸上にディフューザ３の一部、ツイータ２及び第２ディフューザ４が筐体５上側の開口から突出している。ディフューザ３は例えば略漏斗形状をなし、支持軸３１及び拡散板３２を含んで構成される。支持軸３１は後述するようにその一端（先端）がウーハ１のヨークに固定されて立設されており、支持軸３１の他端はツイータ２近傍で拡散板３２に連結している。拡散板３２は平面視が円形、側面視が略Ｖの字型をなし、ウーハ１の振動板１１からの音波を、支持軸３１の軸方向と交差する方向へ拡散する。
【００３１】
支持軸３１は中空の円筒であり、後述するように図示しない取付軸が内部を支持軸３１内周面と接触することなく貫通している。取付軸の一端はヨークに固定され、他端はツイータ２に取り付けられている。ツイータ２は音波出力面を上側に向けて取付軸に支持されている。ツイータ２の上側にはディフューザ３と略同一形状をなす第２ディフューザ４が設けられている。第２ディフューザ４は、連結棒４１、４１・・・及び拡散板４２を含んで構成される。連結棒４１は一端が拡散板３２の外周に着脱可能に取り付けられており、他端が拡散板４２の外周に固定されている。なお、連結棒４１と拡散板３２の外周との連結を解除することにより、第２ディフューザ４は取り外しが可能である。拡散板４２はツイータ２の上側に設けられる平面視円形、側面視略Ｖの字型をなし、ツイータ２からの音波を取付軸の軸方向と交差する方向へ拡散する。
【００３２】
図２はスピーカ装置の縦断面を示す模式的縦断面図、図３はスピーカ装置の縦断面を示す斜視図、図４はスピーカ装置を構成する部品の縦断面を示す分解斜視図である。ウーハ１は、ヨーク１２、マグネット１３、トップブレード１４、フレーム１５、コイルボビン１６、ダンパ１７、エッジ１８及び振動板１１を含んで構成される。ウーハ１の底部に設けられる底面視環状のヨーク１２は、ボトムプレート１２１、センターポール１２２及びネジ溝１２３を含んで構成される。ドーナツ状のボトムプレート１２１は中心部において取付軸（以下、ネジ６という）を挿通するためのネジ孔１２４が設けられ、ボトムプレート１２１中心部から上側に向けてセンターポール１２２が突設されている。センターポール１２２は円筒形状をなし、ネジ孔１２４が内部を貫通しており、ネジ孔１２４の周囲、すなわちセンターポール１２２の内周面にはネジ溝１２３が形成されている。ネジ溝１２３には、ネジ６のネジ部６４及び支持軸３１の先端のネジ部３４がそれぞれ螺合される。すなわち、センターポール１２２の内径と支持軸３１の先端のネジ部３４の外径及びネジ６のネジ部６４の外径とが、螺合するよう略同一径としてある。
【００３３】
ボトムプレート１２１上にはドーナツ状のマグネット１３、トップブレード１４、フレーム１５及びダンパ１７が載置されている。コイルボビン１６はセンターポール１２２の外周面上に設けられ、また図示しないボイスコイルによりセンターポール１２２の外周にて巻回されている。センターポール１２２は、外周にあるコイルボビン１６と共に、さらにその外周にある同心円状のマグネット１３及びトップブレード１４を貫通し、コイルボビン１６はその外周にあるフレーム１５及びダンパ１７を貫通している。
【００３４】
コイルボビン１６の上側は振動板１１に接続されており、コイルボビン１６及び振動板１１により断面視略Ｙの字型の略漏斗形状をなす。振動板１１は上側に延びるに従って平面視における半径が大きくなる断面視略Ｖの字形態をなし、半径が最大となるその外周には断面視半円形の環状のエッジ１８が周設される。エッジ１８の外周側にはさらに断面視矩形状の環状の保持板１５１が周設されている。円筒状の筐体５の上側開口の外周面には断面視Ｌ字型の環状の段部５１が周設されており、この段部５１にウーハ１の保持板１５１が載置される。
【００３５】
次に、ディフューザ３及びネジ６の構成について説明する。ディフューザ３は支持軸３１、ネジ部３４、案内筒３３、連結凹３５、エッジ３６及び拡散板３２を含んで構成され、ネジ６は、ヘッド６１、平ワッシャ６５、ネジ部６４、案内軸６３及び先端ネジ部６２を含んで構成される。支持軸３１は円筒形状をなし下側一端（先端）にはネジ部３４が突設されており、内周面にはネジ溝が切られていない案内筒３３が設けられている。ネジ部３４の外周面にはセンターポール１２２のネジ溝１２３に螺合するためのネジ山が形成されている。ネジ部３４の外周の半径は上述したように、ヨーク１２のセンターポール１２２内周面であるネジ溝１２３に螺合するよう、センターポール１２２の内周面半径と略同一となるよう作成されている。支持軸３１の外周面の半径はネジ部３４のネジ溝１２３への螺合を適宜の位置で終了させるべく、センターポール１２２の内周面の半径よりも大きくなるよう作成している。
【００３６】
以上をまとめると、支持軸３１の外周面半径、次いで、ネジ部３４の外周面半径またはセンターポール１２２の内周面の半径の順に半径が小さくなっている。ディフューザ３をウーハ１のヨーク１２に固定する場合、支持軸３１をウーハ１の上側からセンターポール１２２のネジ孔１２４に向けて挿入し、ネジ部３４をセンターポール１２２のネジ溝１２３に螺合する。螺合が進行した場合、半径が大きくなる支持軸３１の底面にセンターポール１２２の頭部が当接し、ディフューザ３の固定が完了する。なお、本実施の形態においてはネジ部３４及びネジ溝１２３による取り付け方法を例に挙げたが、これに限るものではなく、接着剤等を用いて固定しても良く、またネジ部３４に代えてフックを設け、ネジ溝１２３に代えて孔を設け当該孔にフックを係止させることにより両者を固定するようにしても良い。
【００３７】
円筒状の支持軸３１の上側他端の開口は拡散板３２に接続されており、支持軸３１及び拡散板３２により、断面視が略Ｙの字型の略漏斗形状をなす。振動板１１は上側に延びるに従って平面視における半径が大きくなる断面視略Ｖの字形態をなし、半径が最大となるその外周には環状のエッジ３６が周設される。エッジ３６の適宜の位置、本実施の形態においては４カ所には連結棒４１を支持するための連結凹３５が開口を上側に臨ませて設けられている。
【００３８】
ネジ６は３つの半径の異なるネジ部６４、案内軸６３及び先端ネジ部６２により構成される。半径は、ネジ部６４、案内軸６３及び先端ネジ部６２の順に小さくなるよう構成する。なお、ヘッド６１の底面視における半径は、ネジ部６４の外周面半径よりも大きい。ネジ部６４の外周面半径は、センターポール１２２のネジ溝１２３との螺合を可能にすべく、センターポール１２２の内周面半径と略同一となるよう設定される。またネジ部６４の長手方向の長さは、当該ネジ部６４の長さとディフューザ３のネジ部３４の長手方向の長さとの和が、センターポール１２２の内周面であるネジ溝１２３の長手方向の長さと略等しい長さまたはそれ以下とすればよい。例えば、センターポール１２２の内周面であるネジ溝１２３の長手方向の長さを５ｃｍとした場合、ネジ部６４の長手方向の長さを４ｃｍ、ディフューザ３のネジ部３４の長手方向の長さを１ｃｍとすれば良い。
【００３９】
案内軸６３はネジ部６４と先端ネジ部６２との間に設けられており、ネジ６の螺合時において、案内軸６３がヨーク１２のネジ溝１２３及びディフューザ３の案内筒３３に接触しないようこれらを貫通する。そのため、案内軸６３の半径はセンターポール１２２の内周面半径及び支持軸３１の内周面（案内筒３３の面）半径よりも小さく設定される。これにより案内軸６３またはツイータ２に対するディフューザ３の支持軸３１による振動の影響が低減される。なお、案内軸６３には必ずしもネジ山を設ける必要はない。案内軸６３の長手方向長さは、ネジ６をネジ溝１２３に完全に螺合した場合に、先端ネジ部６２がツイータ２に螺合することが可能となるよう設定すればよい。また、本実施の形態においては、支持軸３１を内部に案内筒３３を有する筒状としたが、これに限るものではなく、ネジ６の案内軸６３と接触しない形状であれば他の形状であっても良い。例えば内部に案内部を有する中空の多角柱形状としても良い。
【００４０】
ツイータ２はヨーク２１及びネジ溝２２を含んで構成される。ツイータ２の底面に設けられるドーナツ状のヨーク２１の中央部内周面にはネジ溝２２が形成されている。当該ネジ溝２２の半径は、ネジ６の先端ネジ部６２との螺合を可能とすべく、先端ネジ部６２の半径と略同一と設定している。ウーハ１上にディフューザ３を螺合した後に、ネジ６及びツイータ２を取り付ける手順について説明する。ヨーク１２の下側のネジ孔１２４へ平ワッシャ６５を介在させてネジ６を挿通する。先端ネジ部６２及び案内軸６３は、上述した半径を有することから、ネジ溝１２３と螺合することなく貫通し、さらに、案内筒３３を螺合完了時に接触しないように貫通する。ネジ６の挿通に従い、ネジ部６４とネジ溝１２３とが噛み合いヘッド６１を回転させることにより、上側方向へ向けて螺合が進行する。
【００４１】
螺合が進行し、平ワッシャ６５を介してヘッド６１がヨーク１２に当接する時点で螺合が完了する。この場合、ネジ６のネジ部６４は、ヨーク１２のセンターポール１２２に接触して貫通するが、案内軸６３はディフューザ３の支持軸３１の案内筒３３に接触することなく貫通し、先端ネジ部６２が、支持軸３１の先端開口から突出する。先端ネジ部６２は、ツイータ２のネジ溝２２に螺合されネジ６とツイータ２との螺合が完了する。なお、ツイータ２がディフューザ３に接触した場合、ディフューザ３を介してウーハ１の振動が伝わるため、ネジ６は、これらが接触しないように長さを設定する。
【００４２】
第２ディフューザ４は拡散板４２、連結棒４１及びエッジ４３を含んで構成される。第２ディフューザ４はお椀形状をなし、拡散板４２の外周には環状のエッジ４３が周設されている。エッジ４３の適宜の位置、本実施の形態においては４カ所には連結棒４１が垂設されている。連結棒４１の先端はディフューザ３のエッジ３６上に設けられる連結凹３５に挿入される。これにより、第２ディフューザ４のディフューザ３への取り付けが完了する。以上の手順により一体化されたウーハ１、ディフューザ３、ネジ６、ツイータ２及び第２ディフューザ４は筐体５の上側開口からウーハ１のヨーク１２を下側にして挿入され、保持板１５１を段部５１上に載置することにより、スピーカ装置が完成する。なお、保持板１５１と段部５１との間に振動吸収用のゲル等を間挿するようにしても良い。
【００４３】
実施の形態２
実施の形態２はヨーク１２でツイータ２を固定するのではなく、さらにその下部の保持部でツイータ２を固定する形態に関する。図５は保持部の構造を示す模式的斜視図である。ツイータ２を、ネジ６を介して保持するための保持部７はヨーク１２の下側において筐体５内の適宜の位置に架設される。本実施の形態における保持部７は筐体５内の音の通り抜けを良くするために、保持棒７１、７１、７１、７１を、ネジ孔７３を中心に放射状に延設し、終端側を筐体５の内周面に適宜の手段により取り付けることにより平面視Ｘの字型の形態としている。保持棒７１は例えば木またはプラスチックが用いられ、保持棒７１の終端は接着剤、ネジ止め、または筐体５内周面への嵌め込みにより固定する。本実施の形態においては筐体５内周面への嵌め込みにより固定する形態につき説明する。
【００４４】
保持部７は、上述したセンターポール１２２の内周面の中心及び支持軸３１内周面の中心と同じ中心をもつネジ孔７３が形成されている。ネジ孔７３は内周面にネジ溝７２が形成されており、ネジ６のネジ部６４に螺合される。ネジ孔７３の内周面半径は、ネジ部６４との螺合を可能にすべく、ネジ部６４の半径と略同一としている。
【００４５】
図６は実施の形態２に係るスピーカ装置の縦断面を示す模式的縦断面図、図７は実施の形態２に係るスピーカ装置の縦断面を示す斜視図、図８は実施の形態２に係るスピーカ装置を構成する部品の縦断面を示す分解斜視図である。実施の形態１と異なる点は、上述した保持部７がヨーク１２の下側に架設されている点及びネジ６の案内軸６３が実施の形態１よりも適宜延設されている点である。
【００４６】
中心部にネジ孔７３を有する保持部７の断面視矩形状の保持棒７１、７１、７１、７１の終端は、筐体５の内周面に凹設された凹部５２に挿入されている。保持棒７１の長手方向の長さ、ネジ孔７３の直径及び保持棒７１の長手方向の長さの総和が筐体５の内周面直径よりも長くなるように保持部７を形成し、保持棒７１を撓ませ、凹部５２にその先端を挿入する。ディフューザ３のネジ部３４がセンターポール１２２のネジ溝１２３に螺合されたウーハ１を筐体５の段部５１に載置し、筐体５の下側開口からネジ６をネジ孔７３に挿通する。
【００４７】
ネジ６の先端ネジ部６２及び案内軸６３は、固定時にネジ溝７２、センターポール１２２のネジ溝１２３及び支持軸３１の案内筒３３に接触しないようこれらを順次貫通する。ネジ６の挿通に従い、ネジ部６４と保持部７のネジ溝７２とが噛み合いヘッド６１を回転させることにより、上側方向へ向けて螺合が進行する。
【００４８】
螺合が進行し、平ワッシャ６５を介してヘッド６１が保持棒７１の底面に当接する時点で螺合が完了する。この場合、ネジ６のネジ部６４は、保持部７のネジ孔７３に接触して貫通するが、案内軸６３はヨーク１２のセンターポール１２２の内周面、ディフューザ３の支持軸３１の内周面である案内筒３３に接触することなく貫通し、先端ネジ部６２が、支持軸３１の先端開口から突出する。先端ネジ部６２は、ツイータ２のネジ溝２２に螺合されネジ６とツイータ２との螺合が完了する。これにより、ネジ６は、ウーハ１のディフューザ３に接触しないばかりか、ウーハ１のヨーク１２にも接触しないため、より振動を低減することが可能となる。
【００４９】
そして最後に第２ディフューザ４の連結棒４１をディフューザ３の連結凹３５に挿入することによりスピーカ装置が完成する。なお、保持部７はヨーク１２の下側であれば、筐体５内部のどの位置に設けても良く、本実施の形態の如く、筐体５の長手方向略中央部に架設する他、筐体５の長手方向長さが短い場合は、筐体５の底面開口付近に保持部７を設けるようにしても良い。また保持部７は平面視Ｘ字型の保持棒７１により構成したが、この形態に限るものではなく、ツイータ２を支持できる形態であれば他の形態であっても良い。例えば、中央部にネジ孔７３を有する格子状またはメッシュ状の円盤により保持部７を形成しても良い。
【００５０】
本実施の形態２は以上の如き構成としてあり、その他の構成及び作用は実施の形態１と同様であるので、対応する部分には同一の参照番号を付してその詳細な説明を省略する。
【図面の簡単な説明】
【００５１】
【図１】スピーカ装置の概要を示す模式的斜視図である。
【図２】スピーカ装置の縦断面を示す模式的縦断面図である。
【図３】スピーカ装置の縦断面を示す斜視図である。
【図４】スピーカ装置を構成する部品の縦断面を示す分解斜視図である。
【図５】保持部の構造を示す模式的斜視図である。
【図６】実施の形態２に係るスピーカ装置の縦断面を示す模式的縦断面図である。
【図７】実施の形態２に係るスピーカ装置の縦断面を示す斜視図である。
【図８】実施の形態２に係るスピーカ装置を構成する部品の縦断面を示す分解斜視図である。
【符号の説明】
【００５２】
１      ウーハ
２      ツイータ
３      ディフューザ
４      第２ディフューザ
５      筐体
３１    支持軸
３２    拡散板
３３    案内筒
３４    ネジ部
３５    連結凹
１１    振動板
１２    ヨーク
１４    トップブレード
１２１  ボトムプレート
１２２  センターポール
１２３  ネジ溝
１２４  ネジ孔
６      ネジ
６１    ヘッド
６４    ネジ部
６３    案内軸
６２    先端ネジ部
７      保持部
７１    保持棒
７２    ネジ溝
７３    ネジ孔
【図１】
2008177690.tif 000003
【図２】
2008177690.tif 000004
【図３】
2008177690.tif 000005
【図４】
2008177690.tif 000006
【図５】
2008177690.tif 000007
【図６】
2008177690.tif 000008
【図７】
2008177690.tif 000009
【図８】
2008177690.tif 000010